【事件の表示】
　特許第２８２８５９９号「洗濯機」の請求項１に係る特許に対する特許異議の申立てについて、次のとおり決定する。
【結　論】
　特許第２８２８５９９号の請求項１に係る特許を取り消す。
【理　由】
１，手続の経緯
　本件特許第２８２８５９９号に係る出願は、平成６年８月３１日に出願され、平成９年２月３日、平成９年１２月１５日及び平成１０年７月１５日にそれぞれ明細書についてその全文が補正された後、平成１０年９月１８日に設定登録されたものである。
　これに対して、平成１１年５月２０日に特許異議申立人・株式会社東芝より、平成１１年５月２５日に特許異議申立人・花井恭子より全請求項（請求項１）に係る特許に対して特許異議申立がなされ、平成１１年８月９日付けで取消理由が通知された後、平成１１年１１月１日付けで特許権者よりこの取消理由に対して意見書が提出されたものである。
　
２，本件発明
　本件の請求項１に係る発明（以下、「本件発明」という。）は、本件特許に係る明細書の特許請求の範囲に記載された次のとおりのものと認める。
【請求項１】外枠の内側に置かれる洗濯槽、この洗濯槽の内側に回転自在に設けられる回転翼と、洗濯槽の下方に備えられ、かつ前記回転翼を回転駆動する洗濯用モータと、外枠の上側に設けられ、かつ水道水給水用電磁弁が備わるトップカバーと、風呂水吸水ホースを通じて吸い上げる風呂水を洗濯槽の上から洗濯槽内に注ぐモータ式吸水ポンプと、トップカバーの後ろ側に設けられ、かつ洗濯用の水を洗濯槽内に注ぐ注水口が形成されている注水部とを有する洗濯機であって、
　ポンプランナ、このポンプランナの吐出側が連通する気水分離室を兼ねる吐出室、および前記ポンプランナの吸込み側に連通する吸水室を備えるポンプ部と、ポンプランナを回転駆動するモータ部とを有し、かつポンプ部をモータ部の長手方向端側に配置しているモータ式吸水ポンプは、
　トップカバーの後ろ側に横置きに、
　かつ前記吸水室に連通するように形成される風呂水吸水口のホース接続口が前記トップカバーの上方に向かって上向きになるように配置し、
　前記吐出室の吐出口と前記注水口部を連通する吐出水連通路を備え、
　前記トップカバーの後ろ側に前記モータ式吸水ポンプ等を覆い隠す着脱自在なバックパネルを設け、このバックパネルには前記ホース接続口の上端が臨むところにホース接続口用開口穴を設けたことを特徴とする洗濯機。
　
３，引用例記載の発明
　上記取消理由通知において引用した、本件出願の日前に頒布された刊行物である特開昭５７−１９２５９５号公報（特許異議申立人・株式会社東芝及び特許異議申立人・花井恭子が提示した甲第１号証。以下、「引用例１」という。）には、
「本発明は水道以外の給水源例えば浴槽の水等を水源とすることが可能な一槽式全自動洗濯機の給水装置に関するものである。」（第１頁右下欄第２〜４行）と記載されており、また、
「本発明の実施例を第３図ないし第５図によって説明する。第３図は本発明の基本的な技術思想を示す図である。同図（イ）において、２０はポンプで、（ロ）に示すように、圧力スイッチ７のＮＣ接点に電気的接続されており、その吸込口２１は図示していないホースによって水源（浴槽）と結合され吐出口２２には注水ホース８が取付けてある。・・・・・・・
　第４図は水道による給水と、水圧のない水源による給水との、双方が可能な給水装置を備えた本発明の実施例で、同図（イ）に示すように第２図の電磁給水弁６による給水装置と、第３図のポンプ２０による給水装置の双方を備えている。８’はポンプ用注水管、９’はポンプ用注水口である。同図（ロ）において２３はタイマ５によって切換が行われる切換スイッチ、２４、２５は使用者が給水源を選択する選択スイッチである。」（第２頁右上欄第１８行〜同右下欄第４行）と記載され、さらに、
「使用者は選択スイッチ２４、２５により、給水工事の前部又はその一部を電磁給水弁による水道給水又はポンプ２０による浴槽給水のいづれか一方を選択することができ、第２図の従来の給水装置では使用不能の浴槽水等水圧のない水源の利用が可能となり、全自動洗濯機効用を著しく増大する。」（第３頁左下欄第１４〜２０行）と記載されている。
　したがって、引用例１の第１図及び第４図の洗濯機の記載を参酌すると、引用例１には、
「本体１の内側に置かれる洗濯脱水槽１１、この洗濯脱水槽の内側に回転自在なパルセータ１２と、洗濯脱水槽の下方に備えられ、かつ、前記パルセータを回転駆動するモータ１４と、本体の上側に設けられ、かつ水道水補給用の電磁給水弁６が備わる操作箱３と、風呂水給水ホースを通じて吸い上げる風呂水を洗濯脱水槽１１の上から洗濯脱水槽内に注ぐポンプ２０と、操作箱の後ろ側に設けられかつ洗濯用の水を洗濯脱水槽内に注ぐ注水口９が形成されている注水部とを有する洗濯機であって、
ポンプ２０は操作箱の後ろ側に横置きに、かつポンプ吸水室に連通するように形成される風呂水吸込口２１のホース接続口が前記操作箱の上方に向かって上向きになるよう配置し、ポンプ吐出口２２前記注水口部を連通する注水ホース８を備え、前記操作箱の後ろ側にポンプを覆い隠す着脱自在な操作板４を設けたことを特徴とする洗濯機。」
が記載されているものと認められる。
　
　また、上記取消理由通知において引用した、本件出願の日前に頒布された刊行物である特開昭６０−４５７９０号公報（特許異議申立人・花井恭子が提示した甲第２号証。以下、「引用例２」という。）には、
「本発明は自吸式ポンプに係り、特にボリュートポンプにおいて高い自吸能力を得るに好適な羽根車に関する。」（第１頁左下欄第１６〜１８行）と記載され、
「ポンプ本体は、気水分離室６とボリュート７及び吐出口１０を有するケーシング１、このケーシング１に取り付けられた電動機１５の回転軸１８の一端に結合された羽根車４を有する。この羽根車４を塞ぐようにカクヘキイタ３がケーシングカバー２にゴムパッキングを介して（図示していない）ボルトで固定されている。また、ケーシング１と羽根車４の間には、軸封装置１４が介挿されている。」（第２頁左上欄第１〜１０行）と記載されている。
　そしてその動作については、
「ケーシング１及びケーシングカバー２内に呼び水口８より呼び水を入れたのち、羽根車４を回転させると、空気と水が混ざり合った気水混合液が羽根車４内を充満させる。それらの気水混合液の大部分は遠心力で外周に向かって放出される。放出された気水混合液はボリュート７内を矢印４０〜４３の如く流れ、気水分離室６に送られ、空気だけをケーシング１の吐出口１０より排出させる。分離された水はボリュート７の戻り孔５より羽根車４内に循環水として戻され吸込み口９から吸込まれた空気と再び気水混合液を形成する。この動作をくりかえすことにより、吸い込みフランジ２０に連結した図示しない吸い込み管内の空気を徐々に排出して自吸作用を完了する。」（第２頁右上欄第９行〜同左下欄第２行）と記載されている。
　
　さらに、上記取消理由通知において引用した、本件出願の日前に頒布された刊行物である特開昭５７−６９８９６公報（特許異議申立人・株式会社東芝が提示した甲第３号証。以下、「引用例３」という。）には、
「給水パイプ１１および給水パイプ１１の入口側は水切切換ツマミ２等を配したパネル部１５の上面より上方に突出している。」（第２頁左上欄第１９行〜同右上欄第２行）と記載されている。
　
４，対比・判断
　そこで本件発明と引用例１記載の発明とを対比すると、引用例１記載の「本体」は本件発明の「外枠」に相当し、以下同様に「洗濯脱水槽」は「洗濯槽」に、「パルセータ」は「回転翼」に、「モータ」は「洗濯用モータ」に、「電磁給水弁」は「水道水給水用電磁弁電磁弁」に、「操作箱」は「トップカバー」に、「ポンプ」は「モータ式吸水ポンプ」に、「吸水口」は「風呂水吸水口」に、「操作板」は「バックパネル」にそれぞれ相当するから、
　両者は、
「外枠の内側に置かれる洗濯槽、この洗濯槽の内側に回転自在に設けられる回転翼を回転駆動する洗濯用モータと、外枠の上側に設けられ、かつ水道水吸水用電磁弁が備わるトップカバーと、風呂水給水ホースを通じて吸い上げる風呂水を洗濯槽の上から洗濯槽内に注ぐモータ式吸水ポンプとトップカバーの後ろ側に設けられ、かつ洗濯用の水を洗濯槽内に注ぐ注水口が形成されている注水部とを有する洗濯機であって、
モータ式吸水ポンプは、
トップカバーの後ろ側に横置きに、
かつ吸水室に連通するように形成される風呂水吸水口のホース接続口が前記トップカバーの上方に向かって上向きになるように配置し、
吐出口と注水口部を連通する吐出水連通路を備え、
前記トップカバーの後ろ側に前記モータ式吸水ポンプ等を覆い隠す着脱自在なバックパネルを設けた洗濯機。」
である点で一致し、
イ）本件発明のモータ式吸水ポンプは、「ポンプランナ、このポンプランナの吐出側が連通する気水分離室を兼ねる吐出室、および前記ポンプランナの吸い込み側に連通する吸水室を備えるポンプ部とポンプランナを回転駆動するモータ部とを有しかつポンプ部をモータ部の長手方向端側に配置している」のに対し、引用例１記載の発明のポンプはその構造が不明である点。（以下、「相違点イ」という。）
ロ）本件発明は、バックパネルに、「ホース接続口の上端が臨むところにホース接続口用開口穴を設け」ているのに対し、引用例１記載の発明はバックパネルに開口が設けられているか否か明瞭ではない点。（以下、「相違点ロ」という。）
で相違しているものと認められる。
　
　しかしながら、上記相違点イに係る構成を備えたポンプは引用例２に自吸式ポンプとして記載されており、また洗濯機において風呂水を吸水しようとするとき一般に自吸能力が必要とされることは周知の課題であり、さらに上記相違点イに係る構成を備えたポンプを洗濯機に採用したときポンプとして予測できない格別の作用をなすものでもなく本来備わった自吸作用をなすものにすぎないから、引用例２記載のポンプを引用例１記載の発明の洗濯機のポンプに採用することに困難はなく、その場合の作用効果も当業者が予測可能の程度のものであると認められる。
　
　また、バックパネルのホース接続口の上端が臨むところにホース接続口用開口穴を形成することは、ホース接続口を操作箱の上方に向かって配置する洗濯機において、従来より普通に行われていること（引用例３参照）であり、上記相違点ロは、単なる設計変更程度の相違にすぎないものと認められる。
　
　以上のとおりであるから、本件発明は引用例１〜３に記載された発明に基づいてその発明の属する技術分野における通常の知識を有する者が容易に発明をすることができたものと認められる。
　
５，新規事項について
　本件に係る出願の願書に添付した明細書（以下、「特許明細書」という。）には、平成１０年７月１５日にされた補正により以下の事項が記載されている。
【００１１】欄；
「本発明の目的は、大量の呼び水量を呼び水タンクに蓄えておかなければならない自動呼び水式ポンプに代えて、トップカバーの後ろ側の狭い空間に納めることができ、さらに洗濯機のコンパクト化、組立作業の簡便化、設置スペースの小スペース化、取扱いの簡便化を図ることのできる風呂水吸水ポンプを搭載した改良された洗濯機を提供することにある。」
【００１３】欄；
「大量の呼び水を蓄えておかなければならない自動呼び水式ポンプを備えるものでは、その呼び水タンクの大きさからトップカバーに収納することはできずしたがってトップカバー内に自動吸水ポンプを組み込んだ洗濯機が実現できなかったが、気水分離室を有する本構成によりはじめてそれが可能になり、その結果トップカバーの後ろ側の狭い空間に自動呼び水式ポンプを備えて水道水と風呂水とを任意に切替使用可能な装置を合理的に収納した洗濯機が実現可能になった。」
【００１４】欄；
「ポンプ部をモータ部の長手方向端側に配置したモータ式吸水ポンプは、注水部を有するトップカバーの後ろ側に横置きに置かれるので、竪置きに置くものと違ってモータ式吸水ポンプのところだけが隆起することはなく、洗濯機全体の丈を低く抑えることができる。」
　
ａ）特許明細書の【００１１】欄の記載について
　本件に係る出願の願書に最初に添付した明細書（以下、「当初明細書」という。）には、「洗濯機のコンパクト化、組立作業の簡便化、設置スペースの小スペース化、取扱いの簡便化を図ることのできる風呂水吸水ポンプを搭載した」との記載はなく、当初明細書の記載から直接的かつ一義的にこの記載が導き出せるものではない。
　特許権者は、この記載のうち洗濯機のコンパクト化については、当初明細書の【０００６】欄に（従来技術において）「投げ込み式の風呂水吸水ポンプを利用する場合は、ホースとリード線とが絡み合い、作業性，収納性共に悪いと云う点で難点がある。」との記載及び図１，２の記載から当初明細書に記載されている事項であると主張しているが、洗濯機のコンパクト化という記載と従来技術における風呂水吸水ポンプの作業性，収納性が共に悪いとの記載には直接技術的関連がなく、しかも、洗濯機のコンパクト化についても作業性，収納性の改善についてもそれぞれ多様な解決手段が存在すると認められる点からみて、直接的かつ一義的に導き出せるものとは認めることができない。
　また、図１，２からコンパクト化という記載が直接的かつ一義的に導き出せると認めるに足る根拠もない。
　
　洗濯機の組立作業の簡便化については、当初明細書の【０００６】欄の、「投げ込み式の風呂水吸水ポンプを利用する場合は、ホースとリード線とが絡み合い、作業性，収納性共に悪いと云う点で難点がある。」及び当初明細書の【００５７】欄の「２７は抗菌剤入りの風呂水吸水ホースで、その後端はＯリング２８を介してポンプ２６の上面に設けた風呂水吸水口２６ａに装着される。」との記載から直接的一義的に導き出せると主張しているが、当初明細書の【０００６】欄の記載は製造組立時のほか洗濯機利用者における問題点とも解することができ、また、当初明細書の【００５７】欄の記載は風呂水吸水ホースの装着構造に係るものであって洗濯機の組立作業の簡便化のみを意味するとは解することができないから、それらの記載から直接的かつ一義的に導き出せる事項とも認められない。
　
　設置スペースの小スペース化については、特許権者は、「図１，２に風呂水吸水ポンプをトップカバーの後ろ側の狭い空間に横置きに納めることで、モータ式吸水ポンプのところだけが隆起することなく、洗濯機全体の丈を低く抑えて洗濯機をコンパクト化した図面が明示されており、設置スペースの観点からみれば、小スペース化を図れる洗濯機が図１、図２に明示されている。」と主張しているが、風呂水吸水ポンプを図示のように搭載することと洗濯機の設置スペース（平面上で必要とするスペース）には直接的かつ一義的な関係はなく、図１，２から直接的かつ一義的に導き出せる事項とは認められない。
　
ｂ）特許明細書の【００１３】欄の記載について
　当初明細書には、「大量の呼び水を蓄えておかなければならない自動呼び水式ポンプを備えるものでは、その呼び水タンクの大きさからトップカバーに収納することはできずしたがってトップカバー内に自動吸水ポンプを組み込んだ洗濯機が実現できなかったが、気水分離室を有する本構成によりはじめてそれが可能になり、その結果トップカバーの後ろ側の狭い空間に自動呼び水式ポンプを備えて水道水と風呂水とを任意に切替使用可能な装置を合理的に収納した洗濯機が実現可能になった。」との記載はなく、当初明細書の記載から直接的かつ一義的にこの記載が導き出せるものではない。
　
　特許権者は、当初明細書の【０００７】欄の、「一方、洗濯機に風呂水吸水ポンプを内蔵するタイプのものは、従来一般に、洗濯機の下方にポンプを設置するようにしており、呼び水タンクを必要とするばかりでなく、」との記載及び図面を勘案すれば上記の記載が明示されていると主張しているが、直接的かつ一義的に導き出せる記載事項とは「勘案」を必要とするようなものではなく、上記の「大量の呼び水を・・・・実現可能になった。」との記載がそのとおり記載されているか、或いはそれ以外のものは意味していないことが明らかである記載が存在することを必要とするものであるから、この主張は認められない。
　
ｃ）特許明細書の【００１４】欄の記載について
　当初明細書には、「モータ式吸水ポンプのところだけが隆起することはなく、洗濯機全体の丈を低く抑えることができる。」との記載はなく、当初明細書の記載から直接的かつ一義的にこの記載が導き出せるものではない。
　特許権者は、当初明細書の図１，３には、「横置きのモータ式吸水ポンプは、モータ式吸水ポンプのところだけが隆起することはなく、洗濯機全体の丈を低くした」事項が記載されており、上記の点も当初明細書に記載した事項の範囲内であると主張しているが、モータ式吸水ポンプのところだけが隆起することはないということはモータ式吸水ポンプが他の部材に対して丈が低いことと、モータ式吸水ポンプの丈は高いがその覆いであるバックパネル等を高く平坦にすることの二義性があるから図面のみから特許明細書の【００１４】欄の記載が直接的かつ一義的にこの記載が導き出せるということはできない。
　
６，新規事項についてのむすび
　以上のとおりであるから、特許明細書の【００１１】欄、【００１３】欄、【００１４】欄に係る上記補正は当初明細書又は図面に記載した事項の範囲内においてしたものではない。
　
７，むすび
　以上のとおりであるから、本件発明は引用例イ、ロに記載された発明に基づいて当業者が容易に発明をすることができたものであり、本件発明に係る特許は特許法第２９条第２項の規定に違反してされたものである。
　また、本件特許は特許法第１７条の２第２項で準用する同法第１７条第２項の規定に規定する要件を満たしていない補正をした特許出願についてされたものである。
　したがって、本件発明に係る特許は、取り消されるべきものである。
　よって、結論のとおり決定する。
【異議決定日】
平成１２年１０月３日（２０００．１０．３）